(57)【要約】【課題】  撮影装置を遠隔制御する際のマニュアル操作時における調整操作の煩雑さを解消することを可能にした撮影制御装置を提供すること。【解決手段】  複数の撮影装置と通信可能に接続され、該撮影装置を遠隔制御する撮影制御装置であって、該撮影装置への制御値と、所定の情報を紐付けて記憶する記憶手段と、該撮影装置を該撮影制御装置が制御を開始する時に撮影モードがオートからマニュアルへ変更された時、該記憶手段から前記所定の情報に適合する前記制御値を取り出して該撮影装置の初期値とする、また、該撮影装置を該撮影制御装置が制御を行う際に、前記撮影モードがマニュアルからオートに変更された時、前記制御値と前記所定の情報を該記憶手段に常に行う制御手段を有することを特徴とする。【選択図】  図１
2020123859.tif 000002
【特許請求の範囲】
【請求項１】
複数の撮影装置と通信可能に接続され、該撮影装置を遠隔制御する撮影制御装置であって、該撮影装置への制御値と、所定の情報を紐付けて記憶する記憶手段と、該撮影装置を該撮影制御装置が制御を開始する時に撮影モードがオートからマニュアルへ変更された時、該記憶手段から前記所定の情報に適合する前記制御値を取り出して該撮影装置の初期値とする、また、該撮影装置を該撮影制御装置が制御を行う際に、前記撮影モードがマニュアルからオートに変更された時、前記制御値と前記所定の情報を該記憶手段に常に行う制御手段を有することを特徴とする撮影制御装置。
【請求項２】
前記制御値は、絞り、シャッター速度、ゲイン、フォーカス、ズーム、パン、チルト、の少なくとも１つを含むことを特徴とする請求項１に記載の撮影制御装置。
【請求項３】
前記所定の情報は、撮影装置の識別コード、番組名、時刻、曜日の少なくとも１つを含むことを特徴とする請求項１に記載の撮影制御装置。
【請求項４】
前記記憶手段へは、予め、代表的な制御値と所定の情報が記憶されていることを特徴とする請求項１に記載の撮影制御装置。
【請求項５】
複数の撮影装置と通信可能に接続され、該撮影装置を遠隔制御する撮影制御装置であって、該撮影装置への制御値と、所定の情報を紐付けて記憶する記憶手段と、該撮影装置を該撮影制御装置が制御を開始する時に撮影モードがオートからマニュアルへ変更された時、該記憶手段から前記所定の情報に適合する前記制御値を取り出して該撮影装置の初期値とする、また、該撮影装置を該撮影制御装置が制御を行う際に、前記撮影モードがマニュアルからオートに変更された時、前記制御値と前記所定の情報を該記憶手段に常に行う制御プログラム。
【発明の詳細な説明】
【技術分野】
【０００１】
本発明は、撮影装置の遠隔制御に関し、特に、撮影制御装置のマニュアル調整操作の煩雑さ解消に関する。
【背景技術】
【０００２】
従来、監視カメラ等はカメラと離れた位置にある操作器からの遠隔制御によって制御されている。また、所望の撮影条件とするために、操作器から各種制御モードの設定や操作が行えるようになっている。
【０００３】
テレビ局での監視カメラの運用においては、番組と番組の間は監視カメラに備わった映像の調整をカメラ自身が自動的に行うオートモードに設定しておく。そして、番組が始まると、オペレーターが番組毎に固有の絵作りの為に各種制御モードの設定や操作を手動で行うマニュアルモードに切り替えて調整が行われることが多い。通常、オートモードからマニュアルモードへ切替えると、各種制御モードの設定値の初期値が予め決められた固定値から始まる。この為、従来、オペレーターは、マニュアルにて調整を開始し、絵作りを終えた最終値から、オートモードを経由すると、初期値が元の固定値へ戻るため、再度、同じ操作を繰り返す必要があり煩雑であった。
【０００４】
特許文献１には、オートモードに切り替わる直前のオートモード時の調整値を覚えておき、オートモードが終わった際、覚えた値をマニュアル操作開始時の初期値とすることで調整操作の煩雑さを解消させた技術が開示されている。
【先行技術文献】
【特許文献】
【０００５】
【特許文献１】特開平１−２６３６２８号公報
【発明の概要】
【発明が解決しようとする課題】
【０００６】
しかしながら、上記の特許文献１に開示された従来技術では、カメラ自身が調整したオートモードの値が引き継がれてマニュアルモードの初期値として設定される。例えば、朝夕の色温度の急激な変化に対しては固定値では映像が見えない状態となる為、有効である。しかし、番組毎に絵作りを行う場合など、このカメラの調整値がオペレーターの意図する最終調整値に近いとは言えず、引き続き、オペレーターは最終調整値までの操作が必要である。また、カメラが屋外に設置されている為、カメラ自身が行った自動映像調整映像は屋外の条件に対してである為、屋内で行われている番組の絵作りに対して一致するとは言えずオペレーターは最終調整操作を番組毎に行う必要があった。
【０００７】
そこで、本発明の目的は、撮影装置を遠隔制御する際のマニュアル操作時における調整操作の煩雑さを解消することを可能にした撮影制御装置を提供することにある。
【課題を解決するための手段】
【０００８】
上記の目的を達成するために、本発明に係る撮影制御装置は、
複数の撮影装置と通信可能に接続され、該撮影装置を遠隔制御する撮影制御装置であって、
該撮影装置への制御値と、所定の情報を紐付けて記憶する記憶手段と、
該撮影装置を該撮影制御装置が制御を開始する時に撮影モードがオートからマニュアルへ変更された時、該記憶手段から前記所定の情報に適合する前記制御値を取り出して該撮影装置の初期値とする、また、該撮影装置を該撮影制御装置が制御を行う際に、前記撮影モードがマニュアルからオートに変更された時、前記制御値と前記所定の情報を該記憶手段に常に行う制御手段を有することを特徴とする。
【発明の効果】
【０００９】
本発明によれば撮影装置を遠隔制御する際のマニュアル操作時における調整操作の煩雑さを解消することを可能にした撮影制御装置の提供を実現できる。
【図面の簡単な説明】
【００１０】
【図１】実施例１の撮影制御装置を含む撮影システムの構成を示した機能ブロック図
【図２】カメラ調整項目と設定値、マニュアルモード初期値を示した表
【図３】回線切替システム情報を示した表
【図４】番組運行システム情報を示した表
【図５】映像最終調整値と回線情報・番組情報とを紐づけたリストの表
【図６】回線接続時のマニュアルモード初期値を設定するまでのフローチャート
【図７】映像最終調整値と回線情報・番組情報とのリスト更新のフローチャート
【図８】実施例２の撮影制御装置を含む撮影システムの構成を示した機能ブロック図
【発明を実施するための形態】
【００１１】
以下、発明を実施するための形態について、図面を参照しながら説明する。
【実施例１】
【００１２】
本発明の第１の実施例による、撮影制御装置の処理について説明する。
【００１３】
図１は実施例１における撮影制御装置（操作器１）を含む撮影システムの機能ブロック図である。構成要素としては、カメラを搭載し、パン・チルトが可能で、通信により制御が可能なカメラ装置２と、そのカメラ装置２を制御する為の本実施例における操作器１とを含む場合を例示する。
【００１４】
図１を参照しながらカメラ装置２の構成について説明する。
【００１５】
カメラ装置２は、操作器１と通信可能に接続される。内部の通信部２０１がシリアルデータの送受信を行いＣＰＵ２０３が解釈し、駆動部２０２を制御する。駆動部２０２はカメラ（撮影装置）２０２１、パン動作を行う為の駆動部２０２２、チルト動作を行う為の２０２３をもち、ＣＰＵ２０３の指令に従ってそれぞれ制御される。
【００１６】
次に図１を参照しながら操作器１の構成について説明する。
【００１７】
操作部１０２はカメラ装置２のパン・チルト・カメラを操作するための操作部材である。操作部１０２の内部には、カメラ装置２のカメラ２０２１を操作する為の操作部材として、撮影モード（オート・マニュアル）を切り替える撮影モード切替１０２１と、絞りを調整する為のアイリス操作部材１０２２と、映像信号の増幅度を調整する為のゲイン操作部材１０２３と、シャッター値を設定する為の操作を行うシャッター操作部材１０２５と、色フィルターを操作する為のフィルター操作部材１０２６がある。また、カメラ装置２のパン２０２２とチルト２０２３を操作する為のパンチルト操作部材１０２４が搭載されている。
【００１８】
情報入力部１０４は、外部のシステムと通信を行う為の入出力部であり回線切替システム（複数の操作器と複数のカメラ装置をマトリクス状に切替）や番組運行システム（番組の運行リストに基づいて各機器を制御）などと通信し、現在の回線切替情報や番組の情報などの制御情報をＣＰＵ１０３（制御手段）へ出力する。
【００１９】
ＣＰＵ（制御手段）１０３は、情報入力部１０４から出力される情報と、操作部１０２の操作情報から所定の処理を行い、各々を紐付けて不揮発性メモリ１０１へ格納する。また、紐付けた情報を取り出して、カメラ装置２に対応したプロトコルを使用しコマンド変換を行い通信部１０５を経由してカメラ装置２を制御する。
【００２０】
図２は、図１のカメラ２０２１における映像調整要素の各制御項目に設定可能な値を示した表である。また、オートモードからマニュアルモードへ移行した際の各調整要素の初期値を示してある。
【００２１】
図３は、図１の説明で述べた回線切替システムにおける回線情報の中から操作器１とカメラ装置２とが関連する情報を抜粋した表である。その中の回線切替情報１は操作器１とカメラ装置２が通信可能に接続が完了したことを示し、回線情報２は、操作器１とカメラ装置２の通信が不通（切断状態）となったことを表している。
【００２２】
図４は、図１の説明で述べた番組運行システムにおける番組運行情報の中から操作器１とカメラ装置２とが関連する情報を抜粋した表である。その中の番組運行情報１は操作器１とカメラ装置２とが番組で使用予定でないことを示している。番組運行情報２は操作器１とカメラ装置２とが番組Ａで使われていることを示し、番組情報３は、番組Ｂで使われていることを表している。
【００２３】
図５は、図１のメモリ１０１に格納される情報の構造を表す表である。インデックス順に、図１で示した操作器１が情報入力部１０４を経由して得られる回線情報と番組情報と、図１の操作部１０２の映像調整要素の項目の設定値とを紐付けてリスト化したものである。例えば、カメラ１を番組で未使用の場合の情報を取り出すと、インデックス値としてはＮｏ１となり、パンチルト値として５０／５０、アイリス値としてＦ２、ゲイン値として０ｄＢ、シャッター値として１／６０、フィルター値として３２００が得られる。
【００２４】
図６は、図１のシステム構成にて、番組でオペレーターがカメラ装置２を操作器１を操作して絵作りを始める時、ＣＰＵ１０３により操作部１０２のマニュアルモードの初期値が最終調整値に近い値に設定される手順をフローチャートにしたものである。
【００２５】
ステップ１では、情報入力部１０４を経由して回線情報システムから操作部１とカメラ装置２とに関連した回線情報取得を行いステップ２へ進む。
【００２６】
ステップ２では、操作器１とカメラ装置２が接続しているかどうかを判断し、接続している場合はステップ３へ進み、接続されていない場合はステップ１へ戻る。
【００２７】
ステップ３では、操作部１０２から操作情報の取得を行ってステップ４へ進む。
【００２８】
ステップ４では、撮影モード切替１０２１にてマニュアルモードへの切替操作が行われたかどうかの判断を行い、切替られた場合はステップ５へ進み、切替られていない場合はステップ３へ戻る。
【００２９】
ステップ５では、情報入力部１０４から番組情報の取得を行いステップ６へ進む。
【００３０】
ステップ６では、回線情報の取得を行いステップ７へ進む。
【００３１】
ステップ７では、先に取得した番組名とカメラ名とを使用してメモリ１０１から前述した図５の表のインデックスを順にスキャンを行って該当する映像調整値を求め、ステップ８へ進む。
【００３２】
ステップ８では、取得した設定値を操作部１０２に設定する。
【００３３】
以上述べたように、オペレーターはオートモードからマニュアルモードに切り替えると、既に映像調整部材の値が最終調整値に近い値に設定されている為に、毎回固定値から繰り返し行われる調整作業の煩雑さを解消することが可能となる。
【００３４】
図７は、図１のシステム構成にて、番組でオペレーターがカメラ装置２を操作器１を操作して絵作り操作中に、ＣＰＵ１０３によりマニュアルモードの最終調整値が更新される処理の手順をフローチャートにしたものである。
【００３５】
ステップ１０では、撮影モードがマニュアルからオートに切替られたかを撮影モード切替１０２１から取得しステップ１１へ進む。
【００３６】
ステップ１１では、この判別を行い、切替が行われた場合はステップ１２へ進み、マニュアルモードの場合はステップ１０へ戻る。
【００３７】
ステップ１２では、切替操作が開始されたが実行はされていない為、マニュアルモード時の最終値が保持されている。この調整値と紐づける他の情報を取得する為、情報入力部１０４から番組情報を取得しステップ１３へ進む。
【００３８】
ステップ１３では、回線情報を取得しステップ１４へ進む。
【００３９】
ステップ１４では、操作部１０２から最終調整値である操作情報を取得しステップ１５へ進む。
【００４０】
ステップ１５では、この３つの値を紐づけてメモリ１０１へ図５の表の通りに格納する。
【００４１】
以上をまとめると、オペレーターがマニュアルモードからオートモードに切り替えた直後のマニュアル最終調整値が他の情報と共に紐付けられてメモリに格納される。
【００４２】
以上、図６、図７を用いて詳述したように、オペレーターが調整した最終値と、その場の環境情報を組み合わせて記憶し、繰り返して操作される最初に、環境に適した調整値を初期値として取り出しマニュアルモードの初期値として設定する。これにより、オペレーターの操作の煩雑さを防ぐことが可能となり利便性を向上させる効果を得ることができる。
【００４３】
上記の実施例においては、他システムとして、番組情報と回線情報とを取り上げたが、カメラ装置２の中のカメラの機種情報や、気象情報、ユーザー毎の固有情報なども組み合わせても良い。
【実施例２】
【００４４】
実施例１では図５に示した環境情報と映像調整値との組合せを個別の操作器に持たせた。
【００４５】
本発明の撮影制御装置の第２の実施例として、回線切替システムに前記組合せ情報を持たせた場合について説明する。
【００４６】
図８は、図１における操作器１とカメラ装置２を使用して構成し、各々をネットワークに接続して、複数対複数の組合せをコントロールする為の回線切替システムのブロック図である。
【００４７】
まず、各々の構成について詳述する。
【００４８】
回線切替システムの全体の制御を統括するメインサーバー３０１、内部には前述した図５の構成を持つメモリ１０１が構成されている。また、この例では操作器は２台、操作器３０２と操作器３０３、カメラ装置としてカメラ装置３０４、カメラ装置３０５が構成されている。各々はネットワーク３１０へ接続されている。メインサーバー３０１からネットワーク３１０へ接続する為の経路３０６、操作器３０２からネットワーク３１０に接続する経路３０７、カメラ装置３０４からネットワーク３１０に接続する経路３０８である。また、番組運行システムがメインサーバー３０１に接続されている。また、メインサーバー３０１は操作器と番組運行システムと常に情報のやりとりをネットワーク３１０を介して行っている。
【００４９】
次に、実施例２にて、オペレーターがマニュアルモードで絵作りを行う際に、操作の煩雑さが解消される本実施例の効果を、メインサーバー３０１が介在し、操作器３０２からカメラ装置３０４を制御する処理を例にとって図６を用い実施例１と対比して説明する。
【００５０】
まず、図６のステップ１では、回線情報を取得する必要がある。実施例１では、操作器とカメラ装置が接続されることを外部の回線情報システムから取得し認識したが、本実施例ではメインサーバー３０１が全体を統括制御している為、自分自身の管理情報から容易に認識できる。そしてステップ２に進む。
【００５１】
ステップ２では、操作器３０２とカメラ装置３０４が接続中であるかどうかの判断を行い、接続されている場合はステップ３へ進む。接続中で無い場合はステップ１へ戻る。
【００５２】
ステップ３では、操作情報の取得してステップ４へ進む。情報は実施例１では操作器１の操作部１０２から取得できた。しかし、本実施例では、メインサーバー３０１が、操作器３０２から経路３０７、経路３０６を経由して取得を行う。
【００５３】
ステップ４では、取得した操作情報の撮影モードがオートからマニュアルへの切り替えを判断する。切り替えが行われていればステップ５へ進み、行われておらずオートモードのままの場合はステップ３へ戻る。
【００５４】
ステップ５では、番組情報の取得を行う。実施例１と同様に外部から取得を行ってステップ６へ進む。
【００５５】
ステップ６では、回線情報の取得はメインサーバー３０１自身から取得しステップ７へ進む。
【００５６】
ステップ７では、実施例１と同様にマニュアルモード初期値の取得処理をメインサーバー３０１にて行いステップ８へ進む。
【００５７】
ステップ８では、ステップ７で得たマニュアルモード初期値を経路３０６、経路３０７を経由して操作器３０２の操作部へ設定する。
【００５８】
オペレーターは実施例１と同様にマニュアルモードの初期値が最終設定値に設定されている為、調整範囲が狭くでき、操作の煩雑さを解消することができる。
【００５９】
実施例２においてのマニュアルモードの初期値が更新される手順については、前述した図７によるフローチャートの手順を前述したように経路３０７と経路３０６を使用してメインサーバー３０１がメモリ１０１に格納する経路に置き換えることで可能となる。
【００６０】
更に、本実施例２では、メインサーバー３０１が操作器３０２で取得した最終調整値を操作器３０３に対しても展開することが可能となるというメリットもある。
【００６１】
また、本実施例２では回線切替システムに操作器とカメラ装置を配置構成したが、回線切替システムのみにあらず、番組進行システムにシステムに構築してもよい、また、回線切替システムと番組運行システムとが包含したシステムに構築してもよい。
【００６２】
以上、本発明の好ましい実施形態について説明したが、本発明はこれらの実施形態に限定されず、その要旨の範囲内で種々の変形及び変更が可能である。
【符号の説明】
【００６３】
１  操作器、１０１  メモリ、１０２  操作部、１０２１  撮影モード切替、
１０２２  アイリス操作部材、１０２３  ゲイン操作部材、
１０２４  パン・チルト操作部材、１０２５  シャッター操作部材、
１０２６  フィルター操作部材、１０３  ＣＰＵ（制御手段）、
１０４  情報入力部、２  カメラ装置、２０１  通信部、
２０２  駆動部、２０２１  カメラ、２０２２  パン、
２０２３  チルト、２０３  ＣＰＵ、３０１  メインサーバー、
３０２  操作器、３０３  操作器、３０４  カメラ装置、
３０５  カメラ装置、３０６  ネットワーク経路、
３０７  ネットワーク経路、３０８  ネットワーク経路、
３１０  ネットワーク
【図１】
2020123859.tif 000003
【図２】
2020123859.tif 000004
【図３】
2020123859.tif 000005
【図４】
2020123859.tif 000006
【図５】
2020123859.tif 000007
【図６】
2020123859.tif 000008
【図７】
2020123859.tif 000009
【図８】
2020123859.tif 000010